(57)【要約】【課題】圧縮空気内に多量のマイナスイオンを発生する手段を設けた、圧縮空気内にマイナスイオンを含む水循環式コンプレッサを提供する。【解決手段】コンプレッサ本体５の水供給口にロータ４のリード角にほぼ角度３０°の方向から水を供給する衝突手段１を設けると共に、レシーバタンク１０内に水を含む圧縮空気に旋回流を付加する旋回放出手段２を設ける。これ等の手段によりレナード方式に基づくマイナスイオンが発生する。【選択図】  図１
2010007591.tif 000002
【特許請求の範囲】
【請求項１】
水循環式のコンプレッサであって、該コンプレッサは、そのコンプレッサ本体内に供給される水を前記コンプレッサ本体内のロータに衝突させる衝突手段と、コンプレッサ本体から放出される水分を含む圧縮空気をレシーバタンク内に旋回放出する旋回放出手段とを設けるものからなり、前記衝突手段はロータの回転軸に対して角度θで水を供給する水供給口からなり、前記旋回放出手段は、前記レシーバタンクの内壁に基端側を固定するパイプ状部材からなり、その先端側に角度αの下向きの切り欠き部を開口形成するものからなることを特徴とする圧縮空気内にマイナスイオンを含む水循環式コンプレッサ。
【請求項２】
前記角度θが３０°であり、角度αが１５°であることを特徴とする請求項１に記載の圧縮空気内にマイナスイオンを含む水循環式コンプレッサ。
【発明の詳細な説明】
【技術分野】
【０００１】
本発明は、身体に各種の素晴らしい効力を与えるマイナスイオンを圧縮空気中に多量に含む水循環式コンプレッサに関する。
【背景技術】
【０００２】
マイナスイオンが各種の効用があることは従来より知られている。例えば、安眠作用，細胞の活性化作用，体質改善作用，鎮痛作用，精神安定作用，自律神経調整作用，血液の浄化作用，肺機能強化作用等が挙げられるが、勿論これ以外にも各種の効用がある。そのため、マイナスイオンを発生させるための色々の手段があり、例えば、「特許文献１」や「特許文献２」等が挙げられる。
【特許文献１】特開２００３−３１３３８号（図１）
【特許文献２】特開２００４−３１３２６２号（図１）
【発明の開示】
【発明が解決しようとする課題】
【０００３】
「特許文献１」の「特開２００３−３１３３８号」の「マイナスイオン発生装置」は、針状放電電極（１２）に負極高電圧を印加して電子放電によってマイナスイオンを発生させるもので、使用環境に応じた最適なマイナスイオンを理論的な構成材料を用いて発生させるものである。
一方、「特許文献２」の「特開２００４−３１３２６２号」の「マイナスイオン発生装置」は、水の供給される二流体ノズル（１６）からの水をコンプレッサの圧縮空気と一緒に噴射してマイナスイオンを発生させるものである。
本発明は前者のものと異なり、後者に属するマイナスイオン発生のコンプレッサに関するものであるが、後に説明するように全体構想が相異するものである。
【０００４】
マイナスイオンの発生には色々の手段があり、「水粉砕方式（レナード方式）」や「天然鉱石使用の方式」や「摩擦による方式」や前記のように「電気的作用によって発生させる方式」等数多くのものがあるが、本発明はレナード方式によるものである。
【０００５】
ここで、「レナード方式」とは「レナード効果」によってマイナスイオンを発生させるものである。
【０００６】
「レナード効果」とは、ノーベル物理学賞を受賞したＰ．レナード博士（正確にはレナールト）が滝の原理から導き出したものであり、水滴にエネルギーを加えることで水滴の表面が外側に負、内側に正の電気二重層となり、水滴が分裂する際には外側の負の電気は、表面からちぎれて飛び出す小さな粒子について行き、内側の正の電気は大きな粒子に残るために以上の現象が発生するものである。即ち、簡単に表現すると、水に衝撃を与えて水滴をマイナスイオンに分けて霧状にすることによってマイナスイオンが発生することが知られている。
【０００７】
本発明は、以上のレナード方式を具体的にコンプレッサの圧縮空気の形成過程において積極的に発生させて、圧縮空気内に多量のマイナスイオンを含有せしめるようにした圧縮空気内にマイナスイオンを含む水循環式コンプレッサを提供することを目的とする。
【課題を解決するための手段】
【０００８】
本発明は、以上の目的を達成するために発明されたものであり、その請求項１の発明は、水循環式のコンプレッサであって、該コンプレッサは、そのコンプレッサ本体内に供給される水を前記コンプレッサ本体内のロータに衝突させる衝突手段と、コンプレッサ本体から放出される水分を含む圧縮空気をレシーバタンク内に旋回放出する旋回放出手段とを設けるものからなり、前記衝突手段はロータの回転軸に対して角度θで水を供給する水供給口からなり、前記旋回放出手段は、前記レシーバタンクの内壁に基端側を固定するパイプ状部材からなり、その先端側に角度αの下向きの切り欠き部を開口形成するものからなることを特徴とする。
【０００９】
また、請求項２の発明は、前記角度θが３０°であり、角度αが１５°であることを特徴とする。
【発明の効果】
【００１０】
本発明の請求項１の圧縮空気内にマイナスイオンを含む水循環式コンプレッサによれば、水循環式コンプレッサのコンプレッサ本体に供給される水が、コンプレッサ本体内で衝突手段により大きな衝撃力を受けるために多くのマイナスイオンを発生させることができ、更にレシーバタンク内において、旋回放出手段によって衝撃力が付加され、より多くのマイナスイオンを発生させることができる。この発生したマイナスイオンは、圧縮空気と共にコンプレッサ本体から放出され、コンプレッサの圧縮空気を使用する部位のすべてにマイナスイオンを供給する効果を上げることができる。
【００１１】
また、請求項２の圧縮空気内にマイナスイオンを含む水循環式コンプレッサによれば、衝突手段や旋回放出手段における角度θ及び角度αを限定することにより、マイナスイオンの発生量の多量化を実証することができた。
【発明を実施するための最良の形態】
【００１２】
以下、本発明の圧縮空気内にマイナスイオンを含む水循環式コンプレッサの実施の形態を、図面を参照して詳述する。
まず、図１により圧縮空気内にマイナスイオンを含む水循環式コンプレッサ１００の全体概要構造を説明する。水循環式コンプレッサの構成としては、実際上は図１に示すものよりはるかに複雑な構成要素と配管系統を有するものであるが、図１は本発明に関連する部位に絞った構成及び系路を示したものである。
【００１３】
内部にロータ４（図２に示す）を内蔵する水循環式コンプレッサのコンプレッサ本体５はモータ６により駆動される。このコンプレッサ本体５にはエアクリーナ７から空気が供給されると共に配管８からの水が供給される。勿論、水の供給はこの系路のみでなく、新しい水が別の管路を介して供給される（図略）。
コンプレッサ本体５で発生された水を含む圧縮空気は、配管９を介してレシーバタンク１０内に送られて放出される。レシーバタンク１０内で空気から分離した水はレシーバタンク１０の底部に溜り、配管１１を介してクーラ１２に送られ、水フィルタ１３や電磁弁１４を介して配管８側に送られて再びコンプレッサ本体５内に供給される。
一方、レシーバタンク１０内で水を分離した圧縮空気には少量の水分が含まれ、この水分の中にはマイナスイオンが含有される。よって、使用側１５にはマイナスイオンを含む圧縮空気が供給される。
【００１４】
本発明の圧縮空気内にマイナスイオンを含む水循環式コンプレッサにおけるマイナスイオンを積極的に発生させる手段が、図１のＡとＢに配置される。ここで、Ａは衝突手段１が設けられている場所、Ｂは旋回放出手段２が設けられている場所を示す。即ち、衝突手段１は配管８のコンプレッサ本体５との連結部位に設けられ、旋回放出手段２はレシーバタンク１０への圧縮空気供給部位に設けられている。
【００１５】
図２は衝突手段１を示す。このものは図１の配管８のコンプレッサ本体５への接続部位に設けられている水供給口（図略）であり、図示のようにロータ４の軸線に対し角度３０°で配設される。モータ６で駆動されるロータ４は、図示のようなリード面をもったねじ付状部材からなり、水はこのリード角に対してほぼ直交する向きから供給される。このような角度３０°の方向から水が供給されると、水はロータ４に対しては大きな面積で当り、大きな衝撃力が加えられる。仮りに水がロータ４の回転軸に対して直交する方向から供給されると、水はリード角に沿って円滑に流れるため大きな衝撃力が発生しない。なお、角度３０°は角度を変化させてマイナスイオンの発生量を確認するテストによって選出されたものであり、実証試験でマイナスイオンの発生量が最も大きいことから設定されたものである。しかし、本発明では角度θの値は３０°に限定するものではない。
【００１６】
図３（ａ），（ｂ），（ｃ）及び図４は旋回放出手段２を示す。図３（ａ），（ｂ）に示すように、旋回放出手段２はレシーバタンク１０の内壁に突出状態で設けられたパイプ状部材２ａからなる。このパイプ状部材２ａは、その基端側をレシーバタンク１０の内壁に固定し、その先端側には図３（ｃ）及び図４に示す切り欠き部３を形成するものからなる。なお、この切り欠き部３は下向きの角度１５°で形成され、その開口部の大きさは特に限定するものではないが、水及び圧縮空気がレシーバタンク１０内に噴出する形状のものからなる。
図５に示すように、切り欠き部３から噴出された水を含む圧縮空気はレシーバタンク内を下向きの旋回状態で回転し、レシーバタンク１０の内壁に衝突しながら水と空気とを分離する作用を受ける。そのため、水に衝撃力が加わり、マイナスイオンを積極的に発生させる。なお、この場合、切り欠き部３の角度１５°としたのも角度を変えてマイナスイオンの発生量を測定した結果、最も発生量が多い結果により選定したもので、この角度αは１５°に限定するものではない。
【００１７】
以上のような構造の圧縮空気内にマイナスイオンを含む水循環式コンプレッサ１００によるマイナスイオンの発生量の測定結果を示す。この測定方法は、以上の衝撃手段１及び旋回放出手段２を備えた水循環式コンプレッサからの水を含む圧縮空気をオリフィス管を用いて噴出させ、オリフィス管の出口からの距離を変えてマイナスイオンのイオン数を測定した結果、最高に約２５０，０００個／ｃｃのマイナスイオンが検出された。なお、水を含む圧縮空気をオリフィス管より噴出させない前の状態では、その周辺のマイナスイオンの数は１８０個／ｃｃ位のものであり、極めて多量のマイナスイオンが圧縮空気の中に含まれていることがわかった。
【００１８】
イオン発生量はＪＩＳ基準でクラス１乃至６段階にわけられ、最高のクラス６のイオン数が１，０００，０００であり、次のクラス５が１００，０００〜１，０００，０００であることから、本発明の圧縮空気内にマイナスイオンを含む水循環式コンプレッサの圧縮空気内のマイナスイオン数は、クラス５に相当するものであることがわかった。
【００１９】
本発明は、以上の説明の内容のものからなるが、勿論、その内容に限定するものではなく、同一技術的範疇のものが適用される。
【産業上の利用可能性】
【００２０】
本発明の圧縮空気内にマイナスイオンを含む水循環式コンプレッサは、水循環式のコンプレッサであれば適用可能であり、その利用範囲は広い。
【図面の簡単な説明】
【００２１】
【図１】本発明のコンプレッサの概要構成と配管系路を示す系路図。
【図２】本発明における衝突手段を説明するための説明図。
【図３】本発明の旋回放出手段の概要構造を説明する模式図（ａ），（ｂ），（ｃ）。
【図４】本発明の旋回放出手段の構造を説明するための断面図。
【図５】本発明の旋回放出手段におけるレシーバタンク内圧縮空気の流れを示す模式図。
【符号の説明】
【００２２】
１      衝突手段
２      旋回放出手段
２ａ    パイプ状部材
３      切り欠き部
４      ロータ
５      コンプレッサ本体
６      モータ
７      エアクリーナ
８      配管
９      配管
１０    レシーバタンク
１１    配管
１２    クーラ
１３    水フィルタ
１４    電磁弁
１５    使用側
１００  圧縮空気内にマイナスイオンを含む水循環式コンプレッサ
【図１】
2010007591.tif 000003
【図２】
2010007591.tif 000004
【図３】
2010007591.tif 000005
【図４】
2010007591.tif 000006
【図５】
2010007591.tif 000007